(57)【要約】【課題】利便性を向上させることができる灯火制御装置、灯火制御方法および灯火制御プログラムを提供することである。【解決手段】実施形態の灯火制御装置は、取得部と、制御部とを持つ。取得部は、操作者による入力操作を受け付けるタッチパネルと、前記入力操作に対応する制御信号を生成する制御信号生成部とを備えるタブレット端末から、無線通信により前記制御信号を取得する。制御部は、前記取得部が取得した前記制御信号に基づいて、飛行場の滑走路または誘導路に複数設置された灯火の制御を行う。【選択図】図２
2016110722.tif 000002
【特許請求の範囲】
【請求項１】
操作者による入力操作を受け付けるタッチパネルと、前記入力操作に対応する制御信号を生成する制御信号生成部とを備えるタブレット端末から、無線通信により前記制御信号を取得する取得部と、
前記取得部が取得した前記制御信号に基づいて、飛行場の滑走路または誘導路に複数設置された灯火の制御を行う制御部と、
を備える灯火制御装置。
【請求項２】
前記制御部は、前記制御信号を前記灯火の制御を実行する実行部を制御するための信号に変換し、前記変換した信号を前記灯火の制御を実行する実行部に出力する、
請求項１記載の灯火制御装置。
【請求項３】
前記制御部は、無線通信により、操作者による入力操作を受け付けるための入力操作画像を表示するための情報を前記タブレット端末に送信し、
前記取得部は、前記タブレット端末から無線通信により、前記入力操作画像に対して入力操作された信号に対応する制御信号を取得する、
請求項１または請求項２記載の灯火制御装置。
【請求項４】
前記制御部は、前記制御信号に基づいて記憶部に記憶された前記灯火に対応づけられた情報を読み出して、前記読み出した情報を前記タブレット端末に送信する、
請求項１から３のうちいずれか１項記載の灯火制御装置。
【請求項５】
前記灯火に対応づけられた情報は、前記灯火の位置情報または灯火の仕様である、
請求項４項記載の灯火制御装置。
【請求項６】
前記取得部は、前記入力操作を受け付けたタブレット端末の識別情報または前記タブレット端末の操作権限を識別可能な権限情報を取得し、
前記制御部は、前記識別情報または前記権限情報に対応する画像を前記タブレット端末に送信する、
請求項１から５のうちいずれか１項記載の灯火制御装置。
【請求項７】
前記取得部は、前記入力操作を受け付けたタブレット端末の識別情報または前記タブレット端末の操作権限を識別可能な権限情報を取得し、
前記制御部は、前記識別情報または前記権限情報に基づいて前記制御信号を受け付けるか否かを判定し、前記制御信号を受け付けると判定した場合に、前記制御信号に対応する前記灯火の制御を実行する、
請求項１から６のうちいずれか１項記載の灯火制御装置。
【請求項８】
前記取得部は、前記制御信号に加え、前記タブレット端末の位置を特定するための位置情報を取得し、
前記制御部は、前記位置情報を反映した前記入力操作画像を前記タブレット端末に送信する、
請求項３記載の灯火制御装置。
【請求項９】
前記制御部は、前記灯火が設置された複数の滑走路または誘導路のうち、前記位置情報に対応する領域に含まれる滑走路または誘導路を表示する前記入力操作画像を前記タブレット端末に送信する、
請求項８記載の灯火制御装置。
【請求項１０】
操作者による入力操作を受け付けるタッチパネルと、前記入力操作に対応する制御信号を生成する制御信号生成部とを備えるタブレット端末から無線通信により制御制御信号を取得し、
前記取得した前記制御信号に基づいて、飛行場の滑走路または誘導路に複数設置された灯火の制御を実行する、
灯火制御方法。
【請求項１１】
コンピュータに、
操作者による入力操作を受け付けるタッチパネルと、前記入力操作に対応する制御信号を生成する制御信号生成部とを備えるタブレット端末から、無線通信により前記制御信号を取得させ、
前記取得させた前記制御信号に基づいて、飛行場の滑走路または誘導路に複数設置された灯火の制御を実行させる、
灯火制御プログラム。
【請求項１２】
タブレット端末に、
タッチパネルになされた飛行場の滑走路または誘導路に複数設置された灯火の制御の入力操作を受け付けさせ、
前記入力操作に対応する制御信号を生成させ、
前記制御信号を、無線通信により飛行場の滑走路または誘導路に複数設置された灯火の制御を実行する灯火制御装置に送信させる、
灯火制御プログラム。
【発明の詳細な説明】
【技術分野】
【０００１】
本発明の実施形態は、灯火制御装置、灯火制御方法および灯火制御プログラムに関する。
【背景技術】
【０００２】
飛行場の滑走路や誘導路には、着陸する航空機等に対し滑走路の形状等の情報を提供するための灯火が設置されている。この灯火に対しては、滑走路から離れた監視室等に配置された灯火制御装置が操作者により操作されることで、点灯や消灯の制御がなされる。従来、灯火の点検や交換などを行う場合、灯火から離隔した場所に配置された灯火制御装置の操作が必要な場合があったため、利便性が低い場合があった。
【先行技術文献】
【特許文献】
【０００３】
【特許文献１】特開平１０−１７７６９５号公報
【発明の概要】
【発明が解決しようとする課題】
【０００４】
本発明が解決しようとする課題は、利便性を向上させることができる灯火制御装置、灯火制御方法および灯火制御プログラムを提供することである。
【課題を解決するための手段】
【０００５】
実施形態の灯火制御装置は、取得部と、制御部とを持つ。取得部は、操作者による入力操作を受け付けるタッチパネルと、前記入力操作に対応する制御信号を生成する制御信号生成部とを備えるタブレット端末から、無線通信により前記制御信号を取得する。制御部は、前記取得部が取得した前記制御信号に基づいて、飛行場の滑走路または誘導路に複数設置された灯火の制御を行う。
【図面の簡単な説明】
【０００６】
【図１】灯火制御装置１０が配置された飛行場１の概要を説明するための図。
【図２】第１の実施形態の灯火制御装置１０を含む灯火制御システム１を説明するための図。
【図３】タブレット端末３０に表示されるインターフェース画像の一例を示す図。
【図４】タブレット端末３０に表示される灯火制御に係るインターフェース画像の一例を示す図。
【図５】メモ機能が活用された場合のインターフェース画像の一例を示す図。
【図６】第２の実施形態に係る灯火制御システム１Ａの機能構成を示す図。
【図７】灯火制御システム１Ａにおいて実行される処理の流れを示すシーケンス図。
【図８】交換する灯火Ｌを特定するための画像を示す図。
【図９】灯火制御装置１０から送信された信号ＳＡに含まれる情報が、タブレット端末３０に表示された場合の画像の一例を示す図。
【図１０】灯火Ｌの形状の一例を示す図。
【図１１】サブシステム４０から返信された情報がタブレット端末３０に表示された場合のインターフェース画像を示す一例を示す図。
【図１２】識別情報が異なるタブレット端末３０が、それぞれ表示する画像の一例を示す図。
【図１３】識別情報が異なるタブレット端末３０が、それぞれ表示する画像の別の一例を示す図。
【図１４】タブレット端末３０に表示される位置情報の一例を示す図。
【図１５】第５の実施形態の変形例に係るタブレット端末３０の表示／入力部３２に表示される画像の一例を示す図。
【発明を実施するための形態】
【０００７】
以下、実施形態の灯火制御装置、灯火制御方法および灯火制御プログラムを、図面を参照して説明する。
【０００８】
（第１の実施形態）
図１は、灯火制御装置１０が配置された飛行場ＡＰの概要を説明するための図である。飛行場ＡＰには、例えば複数の滑走路Ｒ１、Ｒ２と、誘導路Ｔと、監視室Ｍとが設けられている。滑走路Ｒ１、Ｒ２、誘導路Ｔには、航空機Ｐが滑走路Ｒ１、Ｒ２および誘導路Ｔの形状などの情報を提供するための灯火Ｌが設置されている。航空機Ｐの操縦者は、例えば滑走路Ｒ２に着陸する際、滑走路Ｒ２に設置された灯火Ｌを目印にして、滑走路Ｒ２への進入角度など航空機Ｐの状態を制御する。管理室Ｍには、滑走路や誘導路などを管理する管理者が駐在する。管理室Ｍには、後述する灯火制御装置１０が配置されている。滑走路Ｒ１、Ｒ２および誘導路Ｔを管理する管理者が、灯火制御装置１０を操作することで、灯火Ｌの点灯や消灯を制御することができる。また、本実施形態では、後述するようにタブレット端末３０を操作することで、灯火制御装置１０を遠隔制御し、灯火Ｌの点灯や消灯を制御することができる。
【０００９】
図２は、灯火制御装置１０を含む灯火制御システム１を説明するための図である。灯火制御システム１は、灯火制御装置１０と、灯火装置２０と、タブレット端末３０とを含む。灯火制御装置１０と、灯火装置２０との間では、例えば専用線を介した通信が行われる。また、灯火制御装置１０と、タブレット端末３０との間では、例えば無線ＬＡＮなどを利用した無線通信が行われる。
【００１０】
灯火制御装置１０は、表示部１２と、入力部１３と、中央制御部１４と、通信部１６とを備える。これらのうち中央制御部１４は、例えば、灯火制御装置１０が備えるＣＰＵ等のプロセッサがプログラムメモリに格納されたプログラムを実行することで機能するソフトウェア機能部である。また、中央制御部１４は、ＬＳＩ（Large  Scale  Integration）やＡＳＩＣ（Application  Specific  Integrated  Circuit）等のハードウェア機能部であってもよい。また、灯火制御装置１０は、例えば、ＲＡＭ（Random  Access  Memory）やフラッシュメモリ、ＥＥＰＲＯＭ（Electrically  Erasable  Programmable  Read-Only  Memory）などで実現される記憶部（不図示）を備えてもよい。
【００１１】
表示部１２は、例えばＬＣＤ（Liquid  Crystal  Display）や有機ＥＬ（Electroluminescence）表示装置である。表示部１２は、灯火Ｌの制御状態を示す画像や、操作者の操作を支援するためのアイコンを含む画像等を表示する。入力部１３は、操作者の操作を受け付け、受け付けた操作に対応する信号を中央制御部１４へ出力する。入力部１３は、専用キーやダイヤルスイッチ、マウス、タッチパッド、キーボード等を含んでもよい。中央制御部１４は、入力部１３から出力された操作に対応する信号を、通信部１６を介して灯火装置２０またはタブレット端末３０へ送信する。ここで入力部１３から出力された操作に対応する信号とは、例えば灯火装置２０を制御するための信号や、タブレット端末３０に送信する情報を含む信号である。
【００１２】
灯火装置２０は、灯火制御部２２と、定電流調整部２４と、灯火群２６とを備える。灯火制御部２２は、灯火制御装置１０の中央制御部１４から出力された信号を取得し、取得した信号に応じて定電流調整部２４を介して灯火群２６を制御する。定電流調整部２４は、灯火群２６の点灯、消灯および明るさの調整など、灯火群２６を制御するために電流値を一定に制御する。灯火群２６は、灯火Ｌの集合である。灯火群２６は、定電流調整部２４から出力された信号に基づいて、灯火Ｌの状態を制御する。
【００１３】
タブレット端末３０は、例えば制御部３４の指示に基づいて画像を表示すると共に、検出面にタッチ操作された場合に、そのタッチ位置に対応する座標を検出可能なタッチパネル式端末装置である。タブレット端末３０は、表示／入力部３２と、制御部３４と、無線通信部３６とを備える。
【００１４】
表示／入力部３２は、ＬＣＤや有機ＥＬ等の表示部と、座標検出機構により操作者のタッチ位置が検出可能な入力部とが重畳して構成される。表示／入力部３２は、操作用のＧＵＩ（Graphical  User  Interface）スイッチ（後述する図４）を表示する。表示／入力部３２は、ＧＵＩスイッチに対するタッチ操作、フリック操作、スワイプ操作などを検出したときに、ＧＵＩスイッチへのタッチ操作がなされたこと示す操作信号を生成して、制御部３４に出力する。なお、表示／入力部３２は、タッチ操作の位置（座標）を示す信号を制御部３４に出力し、制御部３４の側で、そのタッチ操作がどのＧＵＩスイッチに対するものであるかを判定してもよい。タッチパネルとしての接触検知方式は、例えば表示／入力部３２へのタッチ操作などにより２枚の膜が接触にすることによって生じる電圧を検出する抵抗膜方式や、操作者のタッチ操作などによる静電容量の変化を検出する静電容量方式など、如何なる方式であってもよい。
【００１５】
制御部３４は、操作信号に基づいて、表示／入力部３２を制御したり、操作信号に対応する信号を、無線通信部３６を介して灯火制御装置１０へ送信したりする。また、制御部３４は、無線通信部３６を介して灯火制御装置１０から取得した信号に対応するＧＵＩや、画像、アイコンなどを表示／入力部３２に表示させる。制御部３４は、例えば汎用のブラウザを起動させることで、灯火制御装置１０から取得した画像を表示／入力部３２に表示させる。すなわち、灯火制御装置１０は、例えば閉じたネットワーク内におけるＷｅｂサーバとして機能してよい。
【００１６】
また、タブレット端末３０を操作することで、灯火制御装置１０を遠隔操作することが可能である。これにより、操作者は、タブレット端末３０を用いて灯火制御装置１０を制御して、灯火群２６の状態を制御することができる。遠隔操作は、例えばタブレット端末３０の無線通信部３６と、灯火制御装置１０の通信部１６とが、無線ＬＡＮを介して通信することで実現される。例えば、灯火制御装置１０の表示部１２に表示されるＧＵＩスイッチと同じＧＵＩスイッチが、タブレット端末３０のブラウザ機能によって表示／入力部３２に表示される。操作者が表示／入力部３２に表示されたＧＵＩイッチをタッチ操作すると、タブレット端末の操作に対応する信号が灯火制御装置１０に送信される。灯火制御装置１０の中央制御部１４は、送信された操作信号を取得し、灯火装置２０に対する制御信号に変換する。灯火装置２０は、変換された信号に基づいて、灯火Ｌを制御する。これにより、タブレット端末３０による灯火制御装置１０の遠隔操作が実現される。
【００１７】
例えば、タブレット端末３０が、作業者によるＵＲＬ指定等に応じて、灯火制御装置１０のドメインを指定してＤＮＳ（Domain  Name  system）サーバ（不図示）にアクセスすると、ＤＮＳサーバは無線ＬＡＮを介してＩＰ（Internet  Protocol）アドレスをタブレット端末３０に返信する。タブレット端末３０は、自身が要求するデータが指定されたペイロードを、取得したＩＰアドレスに対応する灯火制御装置１０に送信する。灯火制御装置１０は、タブレット端末３０から送信された認証情報（タブレット端末３０に対して入力された管理者の識別情報やパスワード、タブレット端末３０の識別情報など）に基づいて、タブレット端末３０がペイロードに対応する情報を取得する権限があるか否かを判定し、権限があると判定した場合には、ペイロードに対応する情報を指定されたＩＰアドレス（タブレット端末３０）に返信する。これによりタブレット端末３０は、灯火制御装置１０の表示部１２に表示されるＧＵＩスイッチを表示／入力部３２に表示させることができる。タブレット端末３０において表示されたＧＵＩスイッチに対して操作されると、操作に対応する信号（例えば座標を示す信号）が灯火制御装置１０に送信される。また、灯火制御装置１０のＩＰアドレスは、予めタブレット端末３０に記憶されていてもよい。また、タブレット端末３０にＤＮＳサーバに相当する機能が備えられていてもよい。また、灯火制御装置１０がＤＮＳサーバとして機能してもよい。
【００１８】
なお、タブレット端末から受信した操作信号を、灯火制御装置１０が灯火装置２０に出力する制御信号に変換することに代えて、タブレット端末３０において、灯火装置２０に出力されるべき制御信号を生成してもよい。例えば、タブレット端末３０の制御部３４は、自装置にインストールされたアプリケーションプログラムを実行することで、表示／入力部３２に表示されたＧＵＩスイッチに対する操作入力に対応する制御信号を生成し、生成した信号を灯火制御装置１０に送信してもよい。
【００１９】
また、タブレット端末３０の無線通信部３６と、灯火制御装置１０の通信部１６との通信は、タブレット端末３０の無線通信部３６が、無線ＬＡＮを介して公衆回線に接続され、灯火制御装置１０の通信部１６と通信することで実現されてもよい。この場合、タブレット端末３０の無線通信部３６と、灯火制御装置１０の通信部１６との通信過程において、ＶＰＮ装置や、サーバ装置などを配置して、識別情報の要求や、暗号化による通信、ＶＰＭトンネル通信などを行うことでセキュリティを強化してもよい。
【００２０】
図３および図４に、タブレット端末３０が灯火制御装置１０を遠隔操作する場合に表示されるインターフェース画像を例示する。図３は、タブレット端末３０に表示されるインターフェース画像の一例を示す図である。図３に示す画像ＩＭ１は、滑走路Ｒ１、Ｒ２と、誘導路Ｔ１、Ｔ２と、灯火Ｌ１からＬ３とを含む。図３のａの矢印ｄｔ方向に設置されたＬ１を列ａ、ｂの矢印ｄｔ方向に設置されたＬ２を列ｂ、・・・ｉの矢印ｄｔ方向に設置されたＬ３を列ｉとして、以下説明する。また、列ａ、列ｃ、列ｄおよび列ｆに設置された灯火がＬ１、列ｂおよび列ｅに設置された灯火がＬ２、列ｇ、列ｈおよび列ｉに設置された灯火がＬ３である。Ｌ１と、Ｌ２と、Ｌ３とは、それぞれ発光する色相、彩度および明度が異なる。発光する色相、彩度および明度を、それぞれ異ならせることによって、灯火Ｌは航空機Ｐの操縦者に滑走路Ｒや、誘導路Ｔなどの位置情報を提供する。なお、灯火Ｌ１からＬ３とのうち一部または全部は、発光する色相、彩度および明度のうち１つ以上が同様であってもよい。
【００２１】
図４は、タブレット端末３０に表示される灯火制御に係るインターフェース画像の一例を示す図である。図４の画像ＩＭ２におけるａからｉは、それぞれ図３の画像ＩＭ１における灯火列ａからｉに対応している。図４のボタンＢａ１は、図３の列ａの灯火Ｌ１（灯火列ａ）を点灯または消灯させるためのＧＵＩスイッチである。図４のスライダーＢａ２は、図３の列ａの灯火Ｌ１（灯火列ａ）の明るさを調整するためのＧＵＩスイッチである。図４のｂからｉに係るボタンまたはスライダーも、それぞれに該当する灯火列を点灯、消灯および明るさを調整するためのスイッチである。例えば列ａの灯火Ｌ１が消灯時、ボタンＢａ１が、操作者により所定時間以上タッチされると列ａのＬ１が点灯する。更にスライダーＢａ２が、操作者によりスワイプ操作されることで灯火Ｌ１に流れる電流量が制御され、灯火Ｌ１の明るさが調整される。
【００２２】
ところで航空機の運航の安全を守るために、滑走路や、誘導路などに設置された灯火の点検が行われている。一般的な運用では、例えば、滑走路を点検する作業員が、灯火制御装置１０を操作する操作者に、トランシバー等の通信機器を用いて、指定した滑走路における所定の列の灯火の点灯等を指示する。作業員は、所定の列の灯火の点灯が正常であるか否かを確認し、交換や、点検が必要な場合は、交換作業や、点検作業を実施する。この場合、滑走路等で作業する作業員と、灯火制御装置１０を操作する操作者とが共同で、上述した点検等を実施する必要があった。
【００２３】
これに対して、本実施形態では、タブレット端末装置３０により灯火の点灯や、消灯などを行うことができるため、滑走路で作業する作業員が単独で灯火の点検や、交換などの作業を実施することができる。この結果、利便性を向上させることができる。
【００２４】
また、タブレット端末３０は、交換が必要な灯火Ｌの位置を記憶するメモ機能を有する。図５は、メモ機能が活用された場合のインターフェース画像の一例を示す図である。タブレット端末３０の表示／入力部３２は、例えば画像ＩＭ３を表示する。画像ＩＭ３は、列ａから列ｉに直交する縦方向の行１から行１８を表示する。この画像ＩＭ３において、作業員が灯火Ｌの点検をしている際、交換等が必要である灯火Ｌを発見した場合、表示された画像において交換等が必要である灯火Ｌに対応するアイコンをタッチ操作すると、タッチ操作されたアイコンの表示が、例えば白丸から黒丸に変化する。例えば図５で示すように、作業員が列ｆの行２と、列ｆの行８とをタッチ操作した場合、列ｆの行２と、列ｆの８行とに対応するアイコンが白丸から黒丸に変化すると共に、交換が必要な灯火Ｌが列と行で示す座標点（ｆ、２）、（ｆ、８）として、例えば画像ＩＭ３の下部に表示される。アイコンの状態は、複数回タッチ操作することで循環的に元に戻るようにしてもよい。また、全てのアイコンの状態をデフォルト状態に戻すためのＧＵＩスイッチが設けられてもよい。このように、タブレット端末３０は、交換等が必要な灯火Ｌの位置を記憶することができるため、より作業員の利便性を向上させることができる。なお、各画像（ＩＭ１からＩＭ３）の切り替えは、画像をスワイプ操作させることで実行させてもよいし、画像切り替えボタンを設け画像切り替えボタンが操作された場合に実行してもよい。
【００２５】
以上説明した第１の実施形態に係る灯火制御システム１によれは、操作者による入力操作を受け付ける表示／入力部３２と、受け付けた入力操作に対応する制御信号を生成する制御部３４とを備えるタブレット端末３０から、無線通信により取得した制御信号に基づいて、中央制御部１４が、飛行場の滑走路または誘導路に複数設置された灯火の制御を行うことができる。この結果、例えば灯火の交換や点検をする場合の利便性が向上する。
【００２６】
（第２の実施形態）
以下、第２の実施形態について説明する。第２の実施形態は、各灯火の異常や、各灯火に関する情報を灯火制御装置１０へ出力する灯火サブシステム４０を備える点で、第１の実施形態とは異なる。以下、この相違点を中心に説明する。
【００２７】
図６は、第２の実施形態に係る灯火制御システム１Ａの機能構成を示す図である。灯火制御システム１Ａは、灯火サブシステム４０を備える。灯火サブシステム４０は、灯火群２６および灯火制御装置１０の通信部１６との間で、それぞれ専用線などで通信可能である。
【００２８】
灯火サブシステム４０は、例えばサブシステム記憶部４２と、サブシステム処理部４４とを備える。サブシステム記憶部４２には、例えば個々の灯火の型番号や、消費電力、照度、光度、交換した日時、故障履歴などを含む灯火の仕様に関する情報が記憶されている。サブシステム処理部４４は、サブシステム記憶部４２に記憶された情報を読み出す。サブシステム処理部４４は、読み出した情報を各部へ出力する。なお、詳細は後述する図７を用いて説明する。
【００２９】
また、サブシステム処理部４４は、灯火制御装置１０からの問い合わせ信号により、灯火群２６に含まれるそれぞれの灯火から出力された情報を取得し、取得した情報に基づいて、灯火が正常に動作しているか否かを判定する。また、サブシステム処理部４４は、判定結果を各部へ出力する。例えば灯火の点検等を行う作業員が、タブレット端末３０に各灯火が正常に動作しているか否かを問い合わせるための問い合わせ操作入力を実行した場合、中央制御部１４およびサブシステム処理部４４の処理により各灯火が正常に動作しているか否かの判定結果がタブレット端末３０の表示／入力部３２に表示される。タブレット端末３０の表示／入力部３２における判定結果の表示は、例えば正常に動作していない灯火に対応する座標点の表示や、正常に動作していない灯火を示すアイコンの点滅などである。
【００３０】
例えば個々の灯火には、灯火が発光した光の光度を検出する光度検出センサや、灯火の点灯により発生した熱を検出する熱検出センサ、灯火の両端電圧を検出する電圧検出センサなどが設けられていてもよい。この場合、サブシステム処理部４４は、各検出センサのうちいずれかの検出センサの検出結果に基づいて、個々の灯火が正常であるか否かを判定してもよい。
【００３１】
図７は、灯火制御システム１Ａにおいて実行される処理の流れを示すシーケンス図である。例えば滑走路の灯火を交換等する作業員が灯火を点検中に交換が必要な灯火を発見した場合を想定している。まず、タブレット端末３０が、作業員により入力された情報を含む信号ＱＡを灯火制御装置１０へ送信する（ステップＳ１００）。例えば操作員が操作するタブレット端末３０には、図８に示す画像ＩＭ４が表示される。図８は、交換する灯火Ｌを特定するための画像を示す図である。例えば座標（ｆ、８）に位置する灯火Ｌを交換する場合、灯火Ｌ（ｆ、８）をタッチ操作すると、交換が必要であるか否かを問い合わせるアイコン（図中、「交換要」）がポップアップする。このとき、操作員が交換要のアイコンをタッチ操作すると、タッチ操作に対応する情報を含む信号ＱＡが灯火制御装置１０へ送信される。
【００３２】
次に、灯火制御装置１０が、灯火サブシステム４０に問い合わせをするための問い合わせ信号ＱＢを生成する（ステップＳ１０２）。問い合わせ信号ＱＢは、灯火サブシステム４０にタブレット端末３０により送信された情報に対応づけられた情報の返信をさせるための信号である。次に、灯火制御装置１０は、灯火サブシステム４０に生成した信号ＱＢを送信する（ステップＳ１０４）。灯火サブシステム４０は、送信された信号ＱＢを受信し、受信した信号ＱＢに含まれる灯火Ｌの座標に基づいて、サブシステム記憶部４２から対応する情報を読み出し（ステップＳ１０６）、読み出した情報を含む信号ＳＢを灯火制御装置１０へ送信する（ステップＳ１０８）。灯火サブシステム４０が、サブシステム記憶部４２から読み出す情報とは、例えば座標（ｆ、８）に位置する灯火Ｌの型番号などである。
【００３３】
次に、灯火制御装置１０は、灯火サブシステム４０から送信された情報を含む信号ＳＡをタブレット端末３０へ送信する（ステップＳ１１０）。タブレット端末３０は、灯火制御装置１０から送信された信号ＳＡに含まれる情報を、自身の表示／入力部３２へ表示させる（ステップＳ１１２）。これにより、灯火制御システム１Ａにおいて実行される処理は終了する。
【００３４】
図９は、灯火制御装置１０から送信された信号ＳＡに含まれる情報が、タブレット端末３０に表示された場合の画像の一例を示す図である。タブレット端末３０は、表示／入力部３２に、画像ＩＭ５を表示する。画像ＩＭ５には、作業員により交換が必要であるとして操作入力された灯火Ｌに対応する灯火Ｌの型番と消費電力（図中、××型○○Ｗ）が表示される。
【００３５】
以上説明した第２の実施形態に係る灯火制御システム１によれは、第１の実施形態と同様の効果を奏する他、タブレット端末３０から送信された灯火の情報に応じて、サブシステム記憶部４２に記憶された情報をタブレット端末３０に返信させるため、タブレット端末３０を利用して作業する作業員等は、灯火に関する情報を簡易に取得することができる。
【００３６】
（第３の実施形態）
以下、第３の実施形態について説明する。第３の実施形態は、各灯火の台座に識別情報を付与し、これをタブレット端末３０で認識可能にした点で、第２の実施形態とは異なる。以下、この相違点を中心に説明する。なお、第３の実施形態の機能構成は、図６に示した灯火制御システム１Ａと同様であり、各機能構成の符号については図６の機能構成に付した符号を援用する。
【００３７】
図１０は、灯火Ｌの形状の一例を示す図である。灯火Ｌは、発光部５０と、台座６０とを備える。台座６０は、例えば滑走路の所定位置に固定されるように設置される。発光部５０は、台座６０とボルト等で固定されることで、台座６０と一体となる。例えば、灯火Ｌが点灯しない場合、ボルト等を外して台座６０から発光部５０を取り外すことで、作業員は灯火Ｌの点検または発光部５０の発光素子５４を交換することができる。発光部５０は、上面に凹部５２が設けられ、凹部５２には発光素子５４が設置されている。また、発光部５０は、発光素子５４に電力を供給するコネクタ５６を備える。コネクタ５６は、台座６０の発光部５０と対向する面に備えられた電源部６２と電気的に接続される。コネクタ５６が、電源部６２から出力される電力を発行素子５４へ供給することで、発光素子５４が発光する。また、台座６０には、例えば識別情報６４が付与されている。識別情報６４は、台座６０が設置された位置情報（座標）や、使用されている発光素子５４の種類を特定するための情報であり、例えばＱＲ（登録商標）コードや、バーコードを含む一次元情報や、二次元情報である。
【００３８】
また、タブレット端末３０は、カメラと画像解析部を備えることで、一次元情報または二次元情報を読み取るバーコードリーダとして機能することができる。タブレット端末３０が、灯火Ｌに付与された識別情報６４を読み取り、灯火制御装置１０を介して読み取った識別情報６４を灯火サブシステム４０へ送信すると、送信された識別情報６４に対応する情報が灯火サブシステム４０から返信される。図１１は、灯火サブシステム４０から返信された情報がタブレット端末３０に表示された場合のインターフェース画像を示す一例を示す図である。灯火サブシステム４０から位置情報や、灯火の型番号などがタブレット端末３０に送信されると、タブレット端末３０の制御部３４は、表示／入力部３２に灯火の型番号等を表示させる。この表示は、例えば、読み取られた識別情報６４に対応する灯火Ｌにアイコンｉｃ１をポップアップさせることで行われる。
【００３９】
以上説明した第３の実施形態に係る灯火制御システム１Ａによれは、第２の実施形態と同様の効果を奏する他、タブレット端末３０が識別情報６４を灯火制御装置１０へ送信すると、灯火制御装置１０が送信された識別情報６４に対応する灯火Ｌに関する情報を灯火サブシステム４０から取得し、取得した情報をタブレット端末３０へ表示させることができる。このため、タブレット端末３０を利用して作業する作業員等は、より簡易に灯火Ｌに関する情報を取得することができる。
【００４０】
（第４の実施形態）
以下、第４の実施形態について説明する。第４の実施形態は、複数のタブレット端末３０を備え、タブレット端末３０に付与された識別情報またはタブレット端末３０の操作権限を識別可能な権限情報によってタブレット端末３０が表示する滑走路の画像が異なる。以下、この相違点を中心に説明する。なお、第４の実施形態では、複数のタブレット端末３０を備えるが、その他の機能構成は図２の灯火制御システム１と同様であり、各機能構成の符号については図２の機能構成に付した符号を援用する。
【００４１】
本実施形態では、飛行場には滑走路Ｒ１からＲ４が設けられている。また、灯火制御システム１は、複数のタブレット端末３０を備え、複数のタブレット端末３０と灯火制御装置１０との間で無線通信が可能である。タブレット端末３０には、それぞれ固有の識別情報が付与されている。灯火制御装置１０は、タブレット端末３０の識別情報と、個々のタブレット端末３０を使用する作業員の担当区域を示す情報との対応情報を内部に保持している。タブレット端末３０が、灯火制御装置１０と無線通信した場合、灯火制御装置１０は、個々のタブレット端末３０に付与された識別情報に応じて、タブレット端末３０の表示／入力部３２に表示させる画像を選択する。灯火制御装置１０は、例えばタブレット端末３０に付与された識別情報に応じてタブレット端末３０に表示させる領域または滑走路を選択し、選択した滑走路に対応する画像を選択する。タブレット端末３０に付与された識別情報とは、例えばＭＡＣ（Media  Access  Control）アドレスである。
【００４２】
図１２は、識別情報が異なるタブレット端末３０が、それぞれ表示する画像の一例を示す図である。例えば複数のタブレット端末３０のうち、識別情報ＸＡ（図中、ＩＤ：ＸＡ）が付与されたタブレット端末３０の表示／入力部３２には、滑走路Ｒ１、Ｒ２を示す画像ＩＭ７を表示させる。また、例えば複数のタブレット端末３０のうち、識別情報ＸＢ（図中、ＩＤ：ＸＢ）が付与されたタブレット端末３０の表示／入力部３２には、滑走路Ｒ３、Ｒ４を示す画像ＩＭ８を表示させる。このように、灯火制御装置１０は、タブレット端末３０の識別情報に応じてタブレット端末３０へ表示される画像を選択するため、灯火の点検等を行う作業員の担当区域に応じて、作業員に灯火に係る情報を提供することができる。なお、タブレット端末３０に付与された識別情報に代えて、タブレット端末３０から灯火制御装置１０を遠隔操作する場合に入力が要求される利用者ＩＤなどのタブレット端末３０の操作権限を識別可能な権限情報を利用して、タブレット端末３０に表示させる画像を選択してもよい。この場合、灯火制御装置１０は、権限情報と、個々のタブレット端末３０を使用する作業員の担当区域を示す情報との対応情報を内部に保持している。
【００４３】
また、灯火制御装置１０は、タブレット端末３０に付与された識別情報または権限情報に応じてタブレット端末３０に表示させる滑走路を選択すると共に、選択した滑走路のうち灯火の制御に係る操作を行うことができる領域または滑走路を制限してもよい。灯火制御装置１０は、タブレット端末３０の識別情報または権限情報と、タブレット端末３０の識別情報または権限情報によって操作可能な領域とを対応づけて内部に保持している。図１３は、識別情報が異なるタブレット端末３０が、それぞれ表示する画像の別の一例を示す図である。例えば複数のタブレット端末３０のうち、識別情報ＸＣ（図中、ＩＤ：ＸＣ）が付与されたタブレット端末３０の表示／入力部３２には、滑走路Ｒ３、Ｒ４を示す画像ＩＭ９を表示させる。また、灯火制御装置１０は、画像ＩＭ９において作業員により領域Ｔｘｃ中のアイコンが操作された場合は、操作入力を有効として扱い、領域Ｔｘｘ中のアイコンが操作された場合は、操作入力を無効として扱う。また、表示／入力部３２に表示される画像は、操作入力が有効な領域Ｔｘｃと無効な領域Ｔｘｘとを認識可能にしてもよい。例えば図中で示すように、領域Ｔｘｘを網掛けなどの模様で覆ったり、囲んだりしてもよい。このように、灯火制御装置１０は、タブレット端末３０の識別情報または権限情報に応じて操作入力を受け付ける領域に制限を設けることで、灯火制御の権限を簡易に設定することができる。
【００４４】
以上説明した第４の実施形態に係る灯火制御システム１によれは、第１の実施形態と同様の効果を奏する他、個々のタブレット端末３０に付与された識別情報または権限情報に応じて、タブレット端末３０に表示させる画像を選択するため、灯火制御の権限を簡易に設定することができる。
【００４５】
（第５の実施形態）
以下、第５の実施形態について説明する。第５の実施形態は、タブレット端末３０が位置特定部（不図示）を備え、灯火制御装置１０は、位置特定部により特定された情報に基づいてタブレット端末３０に表示させる情報を選択する。以下、この相違点を中心に説明する。なお、第５の実施形態では、タブレット端末３０は位置特定部を備えるが、その他の機能構成は図２の灯火制御システム１と同様であり、各機能構成の符号については図２の機能構成に付した符号を援用する。
【００４６】
タブレット端末３０は、位置特定部を備える。位置特定部は、複数の衛星、例えば複数のＧＰＳ（Global  Positioning  System）衛星から電波を受信し、受信した電波に基づいて自装置の位置を検出する。タブレット端末３０は、検出した位置情報を灯火制御装置１０へ送信する。灯火制御装置１０の中央制御部１４は、受信した位置情報を、タブレット端末３０に表示させる画像における座標点に変換する。中央制御部１４は、タブレット端末３０に表示させる画像において、変換した座標点に対応する位置を特定することで、タブレット端末３０の位置情報を画像に表示させる。
【００４７】
図１４は、タブレット端末３０に表示される位置情報の一例を示す図である。タブレット端末３０は、画像ＩＭ１０を表示／入力部３２に表示させる。画像ＩＭ１０には、例えば滑走路Ｒ１からＲ４が表示される。また、図中の破線で示すように、滑走路Ｒ１からＲ４に、それぞれ対応する領域Ｔ１からＴ４が表示される。例えばタブレット端末３０が、滑走路Ｒ２の右端に位置している場合には、位置特定部によりタブレット端末３０の位置が特定され、特定された位置情報に基づいて、タブレット端末３０の表示／入力部３２にタブレット端末３０の位置Ｐ１を表示させる。タブレット端末３０が、位置Ｐ１から滑走路Ｒ３の中央付近に移動した場合、灯火制御装置１０は、タブレット端末３０の表示／入力部３２にタブレット端末３０の位置Ｐ２を表示させる。なお、画像ＩＭ１０の領域Ｔ１からＴ４のいずれかをタッチ操作すると、タッチ操作された領域が拡大表示されてもよい。例えば、画像ＩＭ１０の領域Ｔ３に対してタッチ操作が実行されると、操作者が滑走路Ｒ３に設置された各灯火を認識できるように滑走路Ｒ３の詳細が表示／入力部３２に表示される。このように、タブレット端末３０の飛行場内の位置がタブレット端末３０の表示／入力部３２に表示されるため、灯火の点検等する作業員は容易に自身の位置を確認することができる。
【００４８】
また、第５の実施形態の変形例として、灯火制御装置１０は、タブレット端末３０の位置情報に応じて、タブレット端末３０の表示／入力部３２に表示させる画像を選択してもよい。灯火制御装置１０は、例えばタブレット端末３０が位置する滑走路に対応する画像を表示／入力部３２へ表示させる。
【００４９】
図１５は、第５の実施形態の変形例に係るタブレット端末３０の表示／入力部３２に表示される画像の一例を示す図である。例えば図１４を用いて説明したように、タブレット端末３０が滑走路Ｒ２の右端に位置する場合、灯火制御装置１０は、滑走路Ｒ２に係る画像ＩＭ１１を表示／入力部３２に表示させると共に、タブレット端末３０の位置Ｐ１を表示させる。タブレット端末３０の位置が、滑走路Ｒ３の中央付近に位置する場合、灯火制御装置１０は、滑走路Ｒ２に係る画像ＩＭ１２を表示／入力部３２に表示させると共に、タブレット端末３０の位置Ｐ２を表示させる。また、灯火制御装置１０は、タブレット端末３０の表示／入力部３２に画像ＩＭ１２を表示させるのに代えて、タブレット端末３０の位置を含む所定領域を表示／入力部３２に表示させてもよい。タブレット端末３０が位置Ｐ２に位置する場合、例えば、灯火制御装置１０は、画像ＩＭ１２の領域Ｔ３＊部分を表示／入力部３２に拡大表示させてもよい。このように、灯火制御装置１０は、タブレット端末３０の飛行場内の位置に応じて、表示させる滑走路の画像を選択するため、灯火の点検等する作業員の作業効率を向上させることができる。
【００５０】
なお、本実施形態では、位置特定部は、複数の衛星から電波を受信して自装置の位置を特定したが、飛行場内に灯火制御装置１０とタブレット端末３０との通信を中継する中継装置を複数配置し、灯火制御装置１０が複数の中継装置が受信した電波に基づいて、タブレット端末３０の位置情報を推定してもよい。例えばタブレット端末３０により発信された電波は、複数の中継装置により受信される場合があるが、灯火制御装置１０は、それぞれの中継装置が取得した電波の強度や、到達時間に基づいてタブレット端末３０の位置を推定することができる。灯火制御装置１０は、推定したタブレット端末３０の位置に基づいて、タブレット端末３０が位置する滑走路を推定し、タブレット端末３０の表示／入力部３２に推定した滑走路に係る画像を表示させる。なお、中継装置が受信した電波に基づいて、灯火制御装置１０がタブレット端末３０の位置を特定することに代え、灯火制御装置１０が中継装置からタブレット端末３０の位置情報を取得してもよい。この場合、中継装置が、タブレット端末３０から受信した電波に基づいて、タブレット端末３０の位置を特定する。
【００５１】
以上説明した第５の実施形態に係る灯火制御システム１によれは、第１の実施形態と同様の効果を奏する他、タブレット端末３０の位置特定部が特定した位置情報に基づいて、表示／入力部３２に表示させる画像を選択するため、灯火の点検等を行う作業員等は容易に自身の位置を認識できる。
【００５２】
なお、第１の実施形態から第５の実施形態に係る処理は排他的な関係になく、第１の実施形態から第５の実施形態に係る処理の全部または一部を組み合わせて実行してもよい。
【００５３】
以上説明した少なくともひとつの実施形態によれば、操作者による入力操作を受け付けるタッチパネルと、入力操作に対応する制御信号を生成する制御信号生成部とを備えるタブレット端末３０から無線通信により制御信号を取得する取得部と、取得部が取得した制御信号に基づいて、飛行場の滑走路または誘導路に複数設置された灯火の制御を実行する制御部とを持つことにより、利便性を向上させることができる。
【００５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１、１Ａ…灯火制御システム、１０…灯火制御装置、１４…中央制御部（制御部）、１６…通信部（取得部）、２０…灯火装置（実行部）、３０…タブレット端末、３２…表示／入力部、３４…制御部、３６…無線通信部、４０…灯火サブシステム（記憶部）、Ｌ、Ｌ１〜Ｌ２…灯火、ＡＰ…飛行場、Ｒ１〜Ｒ４…滑走路、Ｔ１、Ｔ２…誘導路
【図１】
2016110722.tif 000003
【図２】
2016110722.tif 000004
【図３】
2016110722.tif 000005
【図４】
2016110722.tif 000006
【図５】
2016110722.tif 000007
【図６】
2016110722.tif 000008
【図７】
2016110722.tif 000009
【図８】
2016110722.tif 000010
【図９】
2016110722.tif 000011
【図１０】
2016110722.tif 000012
【図１１】
2016110722.tif 000013
【図１２】
2016110722.tif 000014
【図１３】
2016110722.tif 000015
【図１４】
2016110722.tif 000016
【図１５】
2016110722.tif 000017